(57)【特許請求の範囲】
【請求項１】
異なる方向に延在する二本の手摺杆の交差位置で、前記二本の手摺杆のそれぞれ一端を中間ブラケットにより連続状に設置壁面に固定する曲手摺の取付構造において、
前記中間ブラケットは、前記二本の手摺杆をそれぞれ連結する支持片を固定基部の側面に立設してなるブラケット本体と、該ブラケット本体の固定基部に収納固定されるとともに取付部材により前記設置壁面に取付られる取付座と、前記ブラケット本体の前記支持片間を連続状に覆って着脱可能に係合されるカバー部材からなり、
前記ブラケット本体の前記固定基部に前記取付部材が通過可能な操作窓を設けるとともに、前記固定基部の上面から固定ねじにより分離可能に固定される前記取付座を介して前記ブラケット本体を設置壁面に取付けてなるとともに、
前記ブラケット本体と前記カバー部材は、前記固定基部の底面に形成された係合部と、前記カバー部材の裏面に形成された係止部によって弾発的に係合されるとともに、
前記固定基部の底面には、前記係合部より周縁に至る操作溝が設けられ、前記カバー部材には該操作溝より連続してカバー部材の外周に開口する操作孔が設けられ、
前記操作溝を通過する操作手段により、前記係合部と前記係止部が弾発的に変形されて係合が解除されることを特徴とする、曲手摺の取付構造。
【発明の詳細な説明】
【０００１】
【産業上の利用分野】
本発明は、方向の異なる手摺杆をブラケットに連結して設置壁面に固定する、曲手摺の取付構造に関するものである。
【０００２】
【従来の技術】
従来、曲手摺の取付構造では、二本の手摺杆を連結固定するブラケットを木ねじ等の取付部材により直接設置壁面に固定する構造が用いられてきた。
【０００３】
上記の構造では、設置壁面より手摺を一度撤去すると、取付部材が締結していた設置壁面の締結箇所が破損してしまい、同じ位置に再度手摺を設置することができない。  このため、一度手摺を撤去した場合は、別の位置で新たに手摺の設置を行う必要があった。
【０００４】
上記の技術に対して本件出願人は、特願２０００−３７５６８８の建物用手摺の取付構造において、直線状の手摺の端部をブラケットにより直接設置壁面に取付けられるとともに、施工後に手摺の着脱が可能である取付構造を提案した。
【０００５】
前記特願２０００−３７５６８８では、両端の端部ブラケットについて、着脱可能な固定座を収納しておくことにより、上記の特徴を得られるが、中間ブラケットを用いる曲手摺については、予め固定座を設置壁面に固定しておいてから、中間ブラケットのブラケット本体を固定座に固定ねじで取付ける必要があるため、直線状の手摺に比べて施工性が低下する問題がある。
【０００６】
【発明が解決しようとする課題】
本発明は、前記特願２０００−３７５６８８の問題点を解消することを目的とするもので、施工が容易であり、設置壁面の所定位置に対する着脱が自在である曲手摺の取付構造を提供することにある。
【０００７】
【課題を解決するための手段】
前記課題を解決するため、本発明による曲手摺の取付構造は、  異なる方向に延在する二本の手摺杆の交差位置で、二本の手摺杆のそれぞれ一端を中間ブラケットにより連続状に設置壁面に固定する曲手摺の取付構造において、取付部材により設置壁面に取付座を取付け、ブラケット本体の固定基部に取付部材を通過する操作窓を設けるとともに、固定基部に取付座を収納し、固定基部の上面から固定ねじにより分離可能に固定される取付座を介してブラケット本体を設置壁面に取付けることにより、取付部材で曲手摺全体を設置壁面に直接固定することが可能であると共に、取付座と螺合している固定ねじの締結を解除することで、曲手摺全体の着脱を同じ取付け位置で行うことが可能である。
【０００８】
また、ブラケット本体とカバー部材は、固定基部の底面に形成された係合部と、カバー部材の裏面に形成された係止部によって弾発的に係合されるとともに、固定基部の底面には、係合部より周縁に至る操作溝が設けられ、カバー部材には操作溝より連続してカバー部材の外周に開口する操作孔が設けられ、ブラケット本体の底面には係合部より周縁部に至る操作溝と、カバー部材に操作溝より連続して外周に開口する操作孔を設けることにより、操作孔を挿通して操作溝を通過した操作手段が、係合部と係止部を弾発的に変形させて係止解除されることで、曲手摺全体を設置壁面より取外す際に、カバー部材をブラケット本体から容易に取外すことが可能であると共に、手摺が設置されている状態では、カバー部材がブラケット本体より脱落することが防止される。
【０００９】
【発明の実施の形態】
本発明の実施の形態について添付図面を参照して説明する。  図１は曲手摺を示す分解斜視図であり、符号Ｗは設置壁面、１は手摺杆、２は中間ブラケット、３は端部ブラケット、４は取付部材、５は固定ねじを示す。  図１の示すとおり曲り手摺は、向きの異なる手摺杆１、１の一端１ａの交差位置で中間ブラケット２により設置壁面Ｗに固定され、手摺杆１、１の他端１ｂで端部ブラケット３により設置壁面Ｗに固定されている。
【００１０】
中間ブラケット２は、向きの異なる手摺杆１、１をそれぞれ延在するブラケット本体２ａと、ブラケット本体２ａに収納固定されるとともに取付部材４により設置壁面Ｗに取付けられる取付座２ｂと、ブラケット本体２ａに対して着脱可能に係合されるカバー部材２ｃから構成されており、取付座２ｂは、ブラケット本体２ａの固定基部２ｄに設けられた操作窓２ｅを通過した取付部材４により設置壁面Ｗに取付けられ、ブラケット本体２ａは、固定基部２ｄと固定ねじ５により分離可能に固定された取付座２ｂを介して設置壁面Ｗに取付けられる。
【００１１】
端部ブラケット３は、手摺杆１を延在するブラケット本体３ａと、ブラケット本体３ａに収納固定されるとともに取付部材４により設置壁面Ｗに取付けられる取付材３ｂと、ブラケット本体３ａに対して着脱可能に係合されるカバー部材３ｃからなり、中間ブラケット２ａと同様に、ブラケット本体３ａの固定基部３ｄに設けられた操作窓３ｅを通過した取付部材４により取付座３ｂが設置壁面Ｗに取付けられ、ブラケット本体３ａが、固定ねじ５により分離可能に固定された取付座３ｂを介して設置壁面Ｗに取付けられる。
【００１２】
図２は曲手摺のコーナー部分の底面側を示す分解斜視図であり、図２の示すとおり、手摺杆１、１は、鋼管等による芯材１ｃと、合成樹脂等により軟質で芯材を被覆している被覆層１ｄから構成されており、被覆層１ｄには凹凸部１ｅが連続して形成されていて、ブラケット本体２ａに取付ねじ６で固定される。
【００１３】
中間ブラケット２の取付座２ｂは、固定ねじ５と螺合する雌ねじ部２ｆが形成された取付金具２ｇと、取付部材４への浸水を防ぐ防水パッキン２ｈと、防水パッキン２ｈを収納する収納具２ｉから構成されており、取付金具２ｇ及び収納具２ｉには取付部材４のねじ部４ａを挿通する取付部材挿通孔２ｊが形成されている。
【００１４】
本件実施例において、取付座２ｂは３つの部品より構成されているが、曲手摺の使用環境により防水パッキン２ｈを省略することが可能である。  また、取付金具２ｇと収納具２ｉを一体的に形成することも可能である。
【００１５】
中間ブラケット２のブラケット本体２ａは、固定基部２ｄと、固定基部２ｄの側面に手摺杆１、１をそれぞれ延在する支持片２ｋが形成されており、固定基部２ｄには取付部材４全体を通過可能とする操作窓２ｅと、取付座２ｂを収納する収納部２ｌと、固定ねじ５のねじ部５ａを挿通する固定ねじ挿通孔２ｍと、弾性変形可能な係合部である爪部２ｎと、爪部２ｎの先端より外周に向う操作溝２ｏと、操作溝２ｏと収納部２ｌを仕切る遮蔽壁部２ｐが設けられている。
【００１６】
本件実施例において、ブラケット本体２ａの固定ねじ挿通孔２ｍと取付金具２ｇの雌ねじ部２ｆは、固定基部２ｄの上面から下面にかけて設けられているが、側面に設けて締結することで、取付け座２ｂに対するブラケット本体２ａの引抜き強度を向上させることも可能である。
【００１７】
中間ブラケット２のカバー部材２ｃは、ブラケット本体２ａの支持片２ｋ、２ｋの間を覆う本体部２ｑと、本体部２ｑの内面２ｒよりブラケット本体２ａの爪部２ｎに向けて立設された係止部である係止孔部２ｓと、固定基部２ｄの操作溝２ｏの外周端から連続するように開口された操作孔２ｔが形成されている。
【００１８】
図３は曲手摺の端部部分の底面側を示す分解斜視図であり、図３の示すとおり、端部ブラケット３は、ブラケット本体３ａと、取付座３ｂと、カバー部材３ｃから構成されており、端部ブラケット３の取付座３ｂは、雌ねじ部３ｆが形成された取付金具３ｇと、防水パッキン３ｈと、収納具３ｉから構成されており、取付金具３ｇ及び収納具３ｉには取付部材４のねじ部４ａを挿通する取付部材挿通孔３ｊが形成されている。
【００１９】
端部ブラケット３のブラケット本体３ａは、固定基部３ｄと、固定基部３ｄの側面に手摺杆１の他端１ｂを延在する支持片３ｋが形成されており、固定基部３ｄには操作窓３ｅと、収納部３ｌと、固定ねじ挿通孔３ｍと、係止孔部３ｎと、係止孔部３ｎの先端より外周に向う操作溝３ｏと、操作溝３ｏと収納部３ｌを仕切る遮蔽壁部３ｐが設けられている。
【００２０】
端部ブラケット３のカバー部材３ｃは、本体部３ｑと、本体部３ｑの内面３ｒよりブラケット本体３ａの係止孔部３ｎに向けて立設されて弾性変形可能な爪部３ｓと、固定基部３ｄの操作溝３ｏの外周端から連続するように開口された操作孔３ｔが形成されている。
【００２１】
本件実施例において、端部ブラケット３の支持片３ｋから固定基部３ｄにかけて連続する凹凸部３ｕが形成されており、曲手摺の端部も手摺杆１と同様に把持可能としているが、中間ブラケット２のブラケット本体２ａに形成することも可能であり、手摺杆１に設けた凹凸部１ｅから連続するように、手摺杆１以外の場所を把持しても良好な滑止め効果が得られる。
【００２２】
中間ブラケット２及び端部ブラケット３の収納部２ｌ、３ｌは遮蔽壁部２ｏ、３ｏにより仕切られているため、使用時にカバー部材２ｃ、３ｃの挿作孔２ｔ、３ｔから水が侵入することがなく、ブラケット外に排出されるため、浸水による取付部材４や固定ねじ５の腐食が防止され安全性に優れており、とくに曲手摺の上下端に配置される端部ブラケット３では、後述する図６の示すように係止孔部３ｎから側面に向う誘導溝３ｖが設けられているので、侵入した水はブラケットの側方から速やかに排出される。
【００２３】
以上の様に構成される曲手摺の施工手順について説明する。  まず、取付座２ｂは予めブラケット本体２ａの収納部２ｌに嵌合され、固定ねじ５により締結固定された状態で施工現場に供給される。  端部ブラケット３の取付座３ｂも同様である。
【００２４】
次に、手摺杆１の一端１ａを中間ブラケット２の支持片２ｋに嵌合させるとともに、手摺杆１の他端１ｂを端部ブラケット３の支持片３ｋと嵌合させ取付けねじ６により締結固定して、曲手摺全体を組立てる。
【００２５】
次に、図４において、手摺杆１の軸芯での断面図に示すように、組上がった曲手摺を設置壁面Ｗの所定位置に仮設置した状態で、ブラケット本体２ａの操作窓２ｅを通過した取付部材４を設置壁面Ｗに締結することにより、曲手摺を設置壁面Ｗに固定する。
【００２６】
設置された曲手摺のブラケット本体２ａに、カバー部材２ｃを係止固定することで施工作業が完了する。  尚、端部ブラケット３も同様の手順で固定する。
【００２７】
次に、一度設置された曲手摺を一時的に取外す手順について説明する。  図５及び図６は中間ブラケット２及び端部ブラケット３の底面図で、図５及び６の示すように、中間ブラケット２及び端部ブラケット３の操作孔２ｔ、３ｔより、操作手段７である細い棒形状の操作棒７ａをブラケット本体２ａ、３ａとカバー部材２ｃ、３ｃの係合部８まで差込む。
【００２８】
図７は図５のＡ−Ａ’線断面図、図８は図６のＢ−Ｂ’線断面図であり、両図とも操作棒７ａが差込まれた状態を示している。  図７及び８の示すように、差込まれた操作棒７ａが係合部８に到達すると、爪部２ｎ、３ｓが操作棒７ａにより押しのけられて弾発的に変形するため、係止状態が解除される。  この後、係止が解除されたカバー部材２ｃ、３ｃをブラケット本体２ａ、３ａより取外す。
【００２９】
図９はコーナー部における手摺杆１の軸芯での断面図であり、中間ブラケット２を設置壁面Ｗから取外す状態を示している。  図９の示すように、中間ブラケット２の固定ねじ５と雌ねじ部２ｆの締結を解除し、端部ブラケット３の固定ねじ５と雌ねじ部３ｆの締結を解除する（図示せず。）ことで、設置基面Ｗに固定されている取付座２ｂ、３ｂからブラケット本体２ａ、３ａを取外せるようになり、曲手摺全体を設置壁面Ｗより一時的な取外しが完了する。
【００３０】
さらに、一時的に設置壁面Ｗから取外した曲手摺を、再度設置壁面に固定する場合は、設置壁面Ｗに固定されたまま残っている取付座２ｂ、３ｂにブラケット本体２ａ、３ａを嵌合し、固定ねじ５によって固定し、カバー部材２ｃ、３ｃを係止固定することで取付けることができる。
【００３１】
上記図４ないし図９において、設置壁面Ｗは壁躯体表面に二重に設けられるボード壁であり、取付け部材４は、ボード壁内部で倒伏するアンカー片を有する、ボードアンカーを示している。
【００３２】
【発明の効果】
請求項１の発明によれば、中間ブラケットは、固定基部の操作窓を通り、ブラケット本体に収納された取付座を挿通する取付部材により設置壁面へ固定されるため、曲手摺全体を組立てた状態で直接設置壁面に固定することが可能で施工性が良い。
【００３３】
また、手摺杆が取付けられている中間ブラケットのブラケット本体は、ブラケット取付座と固定ねじにより締結しているため、固定ねじの締結を解除することで手摺を取外すことが可能であるとともに、取付座は設置壁面に固定されたまま残るため、再度同じ取付け位置に曲手摺全体を取付けることが可能であり、曲手摺全体の着脱が容易である。
【００３４】
さらに、ブラケット本体の底面の操作溝とカバー部材の操作孔より操作手段を挿通させて、係合部と係止部を弾発的に変形させて係止状態を解除するため、曲手摺全体を設置壁面より取外す際に、カバー部材をブラケット本体から容易に取外すことが可能であり作業性がよい。
【００３５】
また、ブラケット本体とカバー部材は、係合部及び係止部により係止固定されているため、曲手摺の設置状態では操作手段を使用しない限りカバー部材がブラケット本体から脱落することが防止され、安全性に優れている。
【図面の簡単な説明】
【図１】本発明の曲手摺を示す分解斜視図
【図２】本発明のコーナー部分を示す分解斜視図
【図３】端部ブラケットを示す分解斜視図
【図４】本発明の取付け状態を示す手摺杆の軸芯での断面図
【図５】本発明のコーナー部分を示す底面図
【図６】端部ブラケット部分を示す底面図
【図７】図５Ａ−Ａ’線の断面図
【図８】図６Ｂ−Ｂ’線の断面図
【図９】本発明の取外し状態を示す手摺杆の軸芯での断面図
【符号の説明】
Ｗ  設置壁面
１  手摺杆
１ａ  一端
１ｂ  他端
１ｃ  芯材
１ｄ  被覆層
１ｅ  凹凸部
２  中間ブラケット
２ａ  ブラケット本体
２ｄ  固定基部
２ｅ  操作窓
２ｌ  収納部
２ｍ  固定ねじ挿通孔
２ｎ  爪部（係合部）
２ｏ  操作溝
２ｐ  遮蔽壁部
２ｋ  支持片
２ｂ  取付座
２ｇ  取付金具
２ｆ  雌ねじ部
２ｈ  防水パッキン
２ｉ  収納具
２ｊ  取付部材挿通孔
２ｃ  カバー部材
２ｑ  本体部
２ｒ  内面
２ｓ  係止孔部（係止部）
２ｔ  操作孔
３  端部ブラケット
３ａ  ブラケット本体
３ｂ  取付座
３ｃ  カバー部材
４  取付部材
５  固定ねじ
６  取付ねじ
７  操作手段
８  係合部
【図１】
0004676088.tif 000002
【図２】
0004676088.tif 000003
【図３】
0004676088.tif 000004
【図４】
0004676088.tif 000005
【図５】
0004676088.tif 000006
【図６】
0004676088.tif 000007
【図７】
0004676088.tif 000008
【図８】
0004676088.tif 000009
【図９】
0004676088.tif 000010